(57)【要約】【課題】  延出端部２２aで耳たぶ５を回動押圧部３へ近づけて、回動押圧部３の押圧力を補助することで、簡略した構成で耳たぶ５から脱落することを防ぐ耳飾り１を提供する。【解決手段】  棒状部材の一端部２１が隙間を隔てて他端部２２へ対向するように折り曲げられた耳飾り本体部２と、一端部２１に回動自在に取付けられ、他端部２２との間で耳たぶ５を差込む差込用開口部１１が形成され、耳たぶ５を他端部２２へ押圧する回動押圧部３と、を備え、他端部２２側には、回動押圧部３へ近づくように延出した延出端部２２aが形成されていることを特徴とする耳飾り１。【選択図】図１
2018000433.tif 000002
【特許請求の範囲】
【請求項１】
棒状部材の一端部が隙間を隔てて他端部へ対向するように折り曲げられた耳飾り本体部と、
前記一端部に回動自在に取付けられ、前記他端部との間で耳たぶを差込む差込用開口部が形成され、前記差込用開口部を前記耳たぶの厚さよりも狭くすることで、前記耳たぶを前記他端部へ押圧する回動押圧部と、を備え、
前記他端部側には、前記回動押圧部へ近づくように延出した延出端部が形成されていることを特徴とする耳飾り。
【請求項２】
前記回動押圧部は、前記延出端部の押圧面と略平行になり、前記耳たぶの前記耳飾り本体部内への差込みを許容する許容位置に回動することを特徴とする請求項１に記載の耳飾り。
【請求項３】
前記回動押圧部は、前記許容位置における前記差込用開口部の半分以下に狭めて、前記耳たぶを締付ける締付位置まで回動することを特徴とする請求項２に記載の耳飾り。
【発明の詳細な説明】
【技術分野】
【０００１】
本発明は、簡単な構造で耳たぶから脱落することを防ぐ耳飾りに関する。
【背景技術】
【０００２】
耳たぶを挟み込んで装着するイヤリングなどの耳飾りがある。耳たぶを挟み込む方法としては、ネジ式の押圧手段で押圧する方法やバネ等の付勢力を利用するもの等が用いられている。近年、この耳飾りにおいて、より簡単な構造で耳たぶから脱落することを防ぐ構造について鋭意研究されている。
【０００３】
例えば、特許文献１（従来例）には、図７に示すように、軸受部１０８のストッパー軸１０９で基端部を固定したキノコ型のストッパー１０３が上向き４５度に回動し、アジャスターネジ１０４との間隔を狭めて、耳たぶ１０６から落ちにくくしたイヤリング１００が開示されている。
【先行技術文献】
【特許文献】
【０００４】
【特許文献１】実開  平３−７９７１６号
【発明の概要】
【発明が解決しようとする課題】
【０００５】
しかし、従来例で開示されたイヤリング１００では、アジャスターネジ１０４とストッパー１０３との間隔のみにより、ストッパー１０３の押圧力が決まるため、ストッパー１０３に対するアジャスターネジ１０４の位置を調節する調節機構を設ける必要があり、構造が複雑となる問題があった。
【０００６】
本発明は、上述した事情に鑑みてなされるものであって、耳飾り本体部における延出端部で耳たぶを回動押圧部へ近づけて、回動押圧部による押圧力を補助することで、簡略した構造で耳たぶから脱落することを防ぐことができる耳飾りを提供することを目的とする。
【課題を解決するための手段】
【０００７】
上記課題を解決するためになされた請求項１に記載の発明は、棒状部材の一端部が隙間を隔てて他端部へ対向するように折り曲げられた耳飾り本体部と、前記一端部に回動自在に取付けられ、前記他端部との間で耳たぶを差込む差込用開口部が形成され、前記差込用開口部を前記耳たぶの厚さよりも狭くすることで、前記耳たぶを前記他端部へ押圧する回動押圧部と、を備え、前記他端部側には、前記回動押圧部へ近づくように延出した延出端部が形成されていることを特徴とする。
【０００８】
請求項１に記載の発明によれば、延出端部で耳たぶを回動押圧部に近づけて、回動押圧部の押圧力を補助することで、簡略した構造で耳たぶから耳飾りが脱落することを防ぐことができる。
【０００９】
請求項２に記載の発明は、請求項１に記載された耳飾りであって、前記回動押圧部は、前記延出端部の押圧面と略平行になり、前記耳たぶの前記耳飾り本体部内への差込みを許容する許容位置に回動することを特徴とする。
【００１０】
請求項２に記載の発明によれば、回動押圧部の押圧面が延出端部と略平行になることで、差込用開口部を極力広くし、耳飾り本体部内への耳たぶの差込みを円滑に行うことができる。
【００１１】
請求項３に記載の発明は、請求項２に記載された耳飾りであって、前記回動押圧部は、前記許容位置における前記差込用開口部の半分以下に狭めて、前記耳たぶを締付ける締付位置まで回動することを特徴とする。
【００１２】
請求項３に記載の発明によれば、差込用開口部を、許容位置の幅の半分以下に狭めることで、耳たぶを締付け、装着者に違和感を与え、装着者に耳飾りが抜け落ちそうなことを伝え、装着者に再度耳飾りの状態を確認させることができる。
【発明の効果】
【００１３】
本発明は、上述した事情に鑑みてなされるものであって、耳飾り本体部における延出端部で耳たぶを回動押圧部へ近づけて、回動押圧部による押圧力を補助することで、簡略した構造で耳たぶから脱落することを防ぐことができる耳飾りを提供することができる。
【図面の簡単な説明】
【００１４】
【図１】第一実施例の耳飾りの斜視図である。
【図２】図１の耳飾りを展開した展開図である。
【図３】（Ａ）は図２の耳飾り本体部の斜視図であり、（Ｂ）は（Ａ）のa部拡大図である。
【図４】（Ａ）は図２の回動押圧部の斜視図であり、（Ｂ）は回動押圧部の後方斜視図である。
【図５】（Ａ）は回動押圧部が許容位置へ回動した際の耳飾りの平面図であり、（Ｂ）は回動押圧部が押圧位置へ回動した際の耳飾りの平面図であり、（Ｃ）は回動押圧部が締付位置へ回動した際の耳飾りの平面図である。
【図６】回動押圧部が締付位置へ回動して耳たぶを締付けた際の概略図である。
【図７】従来例のイヤリングを耳たぶに装着した際の概略図である。
【発明を実施するための形態】
【００１５】
（第一実施例）
以下、図面を参照して、本発明の第一実施例に係る耳飾り１について説明する。
【００１６】
図１は、第一実施例の耳飾り１の斜視図であり、図２は、図１の耳飾り１を展開した展開図であり、図３は、（Ａ）は図２の耳飾り本体部２の斜視図であり、（Ｂ）は（Ａ）のa部拡大図であり、図４は、（Ａ）は図２の回動押圧部３の斜視図であり、（Ｂ）は回動押圧部３の後方斜視図である。
なお、耳飾り１の奥行き方向をＸ軸、耳飾り１の幅方向をＹ軸、耳飾り１の高さ方向をＺ軸とする。
【００１７】
図１に示すように、引用符号１は、本実施例の耳飾り１である。耳飾り１は、装飾部分であり、耳たぶ５が差込まれる耳飾り本体部２と、耳飾り本体部２の他端部２２へ耳たぶ５を押圧して、耳飾り本体部２が耳たぶ５から脱落することを防ぐ回動押圧部３と、耳飾り本体部２の一端部２１に回動押圧部３を回動可能に軸支する枢軸４と、を備える。枢軸４は、ピン状をしたものであり、例えば、金を主成分として銀、銅を配合したＫ１８金合金、Ｋ１４金合金、Ｋ１０金合金などの金合金（以下、金合金という。）、プラチナを主成分とするプラチナ１０００（プラチナ含有率約１００重量％）、プラチナ９００（プラチナ含有率約９０重量％）、プラチナ８５０（プラチナ含有率約８５重量％）などのプラチナ合金（以下、プラチナ合金という。）、または銀を主成分とする銀９００（銀含有率約９０重量％）、銀９２５（銀含有率約９２．５重量％）、銀９５０（銀含有率約９５重量％）などの銀合金（以下、銀合金という。）で形成されている。
【００１８】
耳飾り本体部２は、図２および図３（Ａ）に示すように、例えば断面視Ｃ型形状をしており、棒状部材の一端部２１が隙間を隔てて他端部２２と対向するように折り曲げられたものである。耳飾り本体部２は、例えば、金合金、プラチナ合金、または銀合金などで形成されている。
【００１９】
耳飾り本体部２の一端部２１側には、図３（Ａ）および（Ｂ）に示すように、凹溝２１ａを挟むように対向する一対の側壁端部２１ｂが形成されており、各側壁端部２１ｂには、枢軸４を通す本体側挿通孔２１ｃが形成されている。耳飾り本体部２の他端部２２側には、一端部２１へ近づくように外側へ延出した延出端部２２ａが形成されている。
【００２０】
回動押圧部３は、図２および４に示すように、先端部３１側をテーパーさせた薄板状のものであり、例えば、金合金、プラチナ合金、または銀合金などで形成されている。回動押圧部３の基端部３２側における下部は、両側を切り欠いてリブ状としたリブ部３３が形成されている。リブ部３３は凹溝２１ａ内へ挿入可能な幅で形成されており、枢軸４を通す押圧側挿通孔３４が形成されている。回動押圧部３における耳たぶ５を押圧する押圧面３５には、幅方向へ延びる複数の溝部３５ａが形成されている。
【００２１】
リブ部３３は、図１および２に示すように、押圧側挿通孔３４が一対の本体側挿通孔２１ｃと重なるように凹溝２１ａ内へ挿入され、枢軸４を押圧側挿通孔３４および一対の本端側挿通孔へ挿通させることで、回動押圧部３を耳飾り本体部２に対して回動可能に軸支されている。
【００２２】
回動押圧部３は、図１に示すように、延出端部２２ａとの間で耳たぶ５を差込む差込用開口部１１が形成され、回動押圧部３の回動に応じて、差込用開口部１１の幅が変えられるように形成されている。
【００２３】
より具体的には、回動押圧部３は、図１のように、先端部３１を延出端部２２ａ側へ回動させて、差込用開口部１１を耳たぶ５の厚さよりも狭くすることで、延出端部２２ａへ耳たぶ５を押圧するように形成されている。
【００２４】
本実施例の耳飾り１は、回動押圧部３を回動させて、差込用開口部１１を耳たぶ５の厚さよりも狭くして、延出端部２２ａに耳たぶ５を押圧することで、耳たぶ５への装着状態を維持することができる。特に、本実施例の耳飾り１は、回動押圧部３の押圧力の他に、延出端部２２ａで回動押圧部３へ耳たぶ５を近づけることで、回動押圧部３の押圧力を補助して、耳たぶ５から脱落することを防ぐことができる。
【００２５】
本実施例の耳飾り１は、耳飾り本体部２、回動押圧部３、および枢軸４の３点で構成されているため、従来例に比べて部品点数を少なくし、簡単な構成にすることができる。
【００２６】
また、本実施例の耳飾り１は、回動押圧面３５に幅方向（耳たぶ５の差込み方向と直交する方向）へ延びる複数の溝部３５aを形成することで、押圧面３５における耳たぶ５の差込み方向を凹凸とし、耳たぶ５の差込み動作に対して回動押圧部３を円滑に追従させることができる。
【００２７】
さらに、本実施例の耳飾り１は、回動押圧部３の先端部３１側がテーパー状に形成されているため、耳たぶ５を耳飾り本体部２内へ円滑に差し込むこともできる。
【００２８】
次に、本実施例の耳飾り１を、装着者が装着する装着動作、耳たぶ５を装着中の装着中動作、および耳たぶ５を締付ける締付動作、について説明する。初期条件として、回動押圧部３は耳飾り本体部２に枢軸４を介して回動可能に軸支されているものとする。
【００２９】
図５（Ａ）は回動押圧部３が許容位置へ回動した際の耳飾り１の平面図であり、（Ｂ）は回動押圧部３が押圧位置へ回動した際の耳飾り１の平面図であり、（Ｃ）は回動押圧部３が締付位置へ回動した際の耳飾り１の平面図であり、図６は、回動押圧部３が締付位置へ回動して耳たぶ５を締付けた際の概略図である。
【００３０】
＜装着動作＞
装着者は、延出端部２２ａを耳たぶ５の裏側へ当てて、差込用開口部１１内へ耳たぶ５を差込む。耳たぶ５に沿って回動押圧部３が押されて、回動押圧部３の押圧面３５が、延出端部２２ａと略平行になり、耳たぶ５の差込みを許容する許容位置（図５（Ａ））となる。この状態で、装着者は、耳たぶ５をさらに耳飾り本体部２内へ差込み、耳飾り１を装着する装着動作を終了する。
【００３１】
本実施例の耳飾り１は、回動押圧部３の押圧面３５を、図５（Ａ）に示すような延出端部２２ａと略平行となる位置まで回動させることで、差込用開口部１１を極力広くし、耳たぶ５を差込用開口部１１内へ円滑に差込むことができる。
【００３２】
また、本実施例の耳飾り１は、耳たぶ５を差込用開口部１１内へ差込む際に、一端部２１よりも外側へ延出した延出端部２２ａで耳たぶ５をガイドすることで、耳たぶ５を差込用開口部１１内へより円滑に差込むことができる。
【００３３】
＜装着中動作＞
耳飾り１は、装着中において耳飾り本体部２の自重によって、耳飾り本体部２が下がる。耳飾り本体部２が下がると、先端部３１が延出端部２２ａ側へ回動し、回動押圧部３は、差込用開口部１１が耳たぶ５の厚さよりもさらに狭くなり、耳たぶ５を延出端部２２ａ側へ押圧する押圧位置（図５（Ｂ））となる。
【００３４】
この押圧状態においては、耳飾り本体部２の自重による反力で回動押圧部３を回動させる程度であるため、耳たぶ５を締付けず、装着者は、不快に感じず、耳飾り１の装着状態を維持することができる。
【００３５】
＜締付動作＞
耳飾り１を装着中に、例えば防寒具（不図示）や肩掛け鞄（不図示）などが引っかかり、耳飾り１に外力が加わると、耳飾り本体部２は、装着中動作時の耳飾り１の位置よりもさらに下がる。そうすると、先端部３１は、押圧位置（図５（Ｂ）よりもさらに延出端部２２ａ側へ回動し、基端部３２が耳飾り本体部２の一端側の外側面へ当接して、回動押圧部３が耳たぶ５を締付ける締付位置（図５（Ｃ））まで回動する。
【００３６】
回動押圧部３が締付位置（図５（Ｃ））になると、差込用開口部１１の幅が、許容位置（図５（Ｂ））における差込用開口部１１の幅の半分以下に狭まり、図６に示すように、耳たぶ５を回動押圧部３と延出端部２２ａとで締付ける状態となる。
【００３７】
このように耳たぶ５を締付けることで、本実施例の耳飾り１は、装着者に違和感を与え、耳たぶ５から耳飾り１が脱落しそうなことを認識させ、再度耳飾り１の装着状態を確認することができる。
【００３８】
すなわち、本実施例の耳飾り１は、耳飾り１が脱落しそうなときに、装着者に違和感を与えることで、装着者の無意識のうちに耳たぶ５から脱落することを確実に防止することができる。
【００３９】
（他の実施例）
上記第一実施例の耳飾り１において、枢軸４を介して、耳飾り本体部２の一端部２１に回動押圧部３が回動可能に軸支されているものとして説明したが、特にこれに限られるものではなく、リブ部３３の両側部のそれぞれに突起部（不図示）を形成し、この突起部を本体側挿通孔２１Ｃに係止させて、回動押圧部３を耳飾り本体部２の一端部２１に回動自在に取付けられるように形成しても良い。
【００４０】
上記第一実施例の耳飾り１において、延出端部２２aを回動押圧部３へ近づくように一端部２１よりも外側へ延出しているものとして説明したが、延出端部２２aは回動押圧部３へ近づくように延出していれば良い。
【００４１】
上記第一実施例の耳飾り１において、耳飾り本体部２自体を装飾部分として説明したが、特にこれに限られるものではなく、回動押圧部３を隠すように一端部２１側に宝石などの装飾部材（不図示）を取付けても良い。
【００４２】
上記第一実施例の耳飾り１において、延出端部２２ａを耳たぶ５の裏面側へ位置するように装着するものとして説明したが、特にこれに限られるものではなく、延出端部２２ａが耳たぶ５の表側へ位置するように装着しても良い。
【００４３】
上記第一実施例の耳飾り１において、耳たぶ５の差込みを許容する許容位置を、回動押圧部３の押圧面３５が延出端部２２ａと略平行になる位置として説明したが、特にこれに限られるものではなく、許容位置として、耳たぶ５を差込むことができる程度に差込用開口部１１を広く形成するように回動押圧部３が回動する位置であれば良い。
【００４４】
また、上記第一実施例の耳飾り１において、締付位置の差込用開口部１１を、許容位置の差込用開口部１１の間隔の半分以下であるものとして説明したが、特にこれに限られるものではなく、締付位置の差込用開口部１１が耳たぶ５を締付けて装着者に違和感を与えることができる間隔であれば良い。
【００４５】
さらに、上記第一実施例の耳飾りにおいて、押圧面３５には幅方向へ延びる複数の溝部３５ａが形成されているものとして説明したが、特にこれに限られるものではなく、押圧面３５が耳たぶ５の差込み動作に追従できる構成であれば良い。
【００４６】
本発明は、その精神または主要な特徴から逸脱することなく。他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替及び改質は、すべて本発明の範囲内のものである。
【符号の説明】
【００４７】
１…耳飾り
１１…差込用開口部
２…耳飾り本体部
２１…一端部      ２１a…凹溝      ２１ｂ…側壁端部      ２１ｃ…本体側挿通孔    ２２…他端部      ２２a…延出端部
３…回動押圧部
３１…先端部    ３２…基端部    ３３…リブ部    ３４…押圧側挿通孔    ３５…押圧面      ３５a…溝部
４…枢軸
５…耳たぶ
【図１】
2018000433.tif 000003
【図２】
2018000433.tif 000004
【図３】
2018000433.tif 000005
【図４】
2018000433.tif 000006
【図５】
2018000433.tif 000007
【図６】
2018000433.tif 000008
【図７】
2018000433.tif 000009
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
棒状部材の一端部が隙間を隔てて他端部へ対向するように折り曲げられた耳飾り本体部と、
前記一端部に回動自在に取付けられ、前記他端部との間で耳たぶを差込む差込用開口部が形成され、前記差込用開口部を前記耳たぶの厚さよりも狭くすることで、前記耳たぶを前記他端部へ押圧する回動押圧部と、を備え、
前記他端部側には、前記回動押圧部へ近づくように屈曲し、一端部よりも外側へ延出しており、差込用開口部内へ耳たぶをガイドする延出端部が形成されていることを特徴とする耳飾り。
【請求項２】
前記回動押圧部は、前記延出端部の押圧面と略平行になり、前記耳たぶの前記耳飾り本体部内への差込みを許容する許容位置に回動し、
前記延出端部は、前記許容位置の前記回動押圧部よりも外側に位置していることを特徴とする請求項１に記載の耳飾り。
【請求項３】
前記回動押圧部は、前記許容位置における前記差込用開口部の半分以下に狭めて、前記耳たぶを締付ける締付位置まで回動することを特徴とする請求項２に記載の耳飾り。
【手続補正２】
【補正対象書類名】明細書
【補正対象項目名】０００７
【補正方法】変更
【補正の内容】
【０００７】
上記課題を解決するためになされた請求項１に記載の発明は、棒状部材の一端部が隙間を隔てて他端部へ対向するように折り曲げられた耳飾り本体部と、前記一端部に回動自在に取付けられ、前記他端部との間で耳たぶを差込む差込用開口部が形成され、前記差込用開口部を前記耳たぶの厚さよりも狭くすることで、前記耳たぶを前記他端部へ押圧する回動押圧部と、を備え、前記他端部側には、前記回動押圧部へ近づくように屈曲し、一端部よりも外側へ延出しており、差込用開口部内へ耳たぶをガイドする延出端部が形成されていることを特徴とする。
【手続補正３】
【補正対象書類名】明細書
【補正対象項目名】０００９
【補正方法】変更
【補正の内容】
【０００９】
請求項２に記載の発明は、請求項１に記載された耳飾りであって、前記回動押圧部は、前記延出端部の押圧面と略平行になり、前記耳たぶの前記耳飾り本体部内への差込みを許容する許容位置に回動し、前記延出端部は、前記許容位置の前記回動押圧部よりも外側に位置していることを特徴とする。